(57)【要約】【課題】使用者の姿勢が変化しても送風装置と上衣との間で位置のずれが生じ難い送風装置を提供する。【解決手段】本発明の送風装置１は、吐出口２ａと吸気口２ｂを有し、内部に送風機構が設けられた本体部２と、本体部２に設けられ、使用者の腰ベルト位置よりも上方の上半身に保持される装着部３と、を有し、本体部２の吐出口２ａが上衣の内側に配置されるとともに吸気口２ｂが上衣の下方に露出するようにして配置されることを特徴とする。【選択図】図１
2019085887.tif 000002
【特許請求の範囲】
【請求項１】
吐出口と吸気口を有し、内部に送風機構が設けられた本体部と、
前記本体部に設けられ、使用者の腰ベルト位置よりも上方の上半身に保持される装着部と、を有し、
前記本体部の吐出口が上衣の内側に配置されるとともに前記吸気口が上衣の下方に露出するようにして配置される、送風装置。
【請求項２】
前記吸気口は、前記本体部の軸方向に対して傾斜する向きに開口している、請求項１に記載の送風装置。
【請求項３】
前記本体部には、ヒンジ部を介して回動可能に構成され、該本体部の外周面との間に使用者の上衣の裾を挟み込み可能に構成された保持部が設けられている、請求項１または２に記載の送風装置。
【発明の詳細な説明】
【技術分野】
【０００１】
本発明は、使用者が着用する上衣の内部に空気を送り込むことで暑さを軽減する携帯型の送風装置に関する。
【背景技術】
【０００２】
従来、使用者のズボンの腰部に巻かれた腰ベルトに装着するための装着手段を備え、送風機構から送出される空気の吐出口を衣服（上衣）で覆い、該上衣内に空気を送出することで、汗が蒸発する際の気化熱を利用して暑さを和らげる送風装置が知られている（特許文献１参照）。
【０００３】
しかしながら、特許文献１に記載の送風装置にあっては、当該送風装置をベルトに装着して上衣で吐出口を覆った状態で、使用者が上体を倒した前屈姿勢となる場合に、上衣の裾が上方にまくれ上がって、吐出口が衣服の外側に露出してしまう虞があり、その度に吐出口を上衣の内側に戻さなければならなかった。
【０００４】
このような問題を解決するために、特許文献２には、腰ベルトに装着される装着部と、該装着部に対してヒンジ部を介して連結された本体部とを備える構成とし、上半身の動きに合わせて本体部がヒンジ部を支点に揺動することで、使用者が前屈姿勢となった場合でも、ベルトに装着した送風装置の吐出口が衣服の外部に露出し難い構成とした送風装置が提案されている。
【先行技術文献】
【特許文献】
【０００５】
【特許文献１】実用新案登録第３１９９１４３号公報
【特許文献２】特開２０１７−１６６３４４号公報
【発明の概要】
【発明が解決しようとする課題】
【０００６】
しかしながら、腰ベルトに送風装置を装着した場合には、使用者がしゃがんだり前屈みになったりした際に、少なからず送風装置と上衣との間で位置のずれが生じてしまうため、吐出口が外部に露出するのを完全に防ぐことは困難であり、改善の余地があった。
【０００７】
それゆえ本発明は、使用者の姿勢が変化しても送風装置と上衣との間で位置のずれが生じ難い送風装置を提供することを目的とする。
【課題を解決するための手段】
【０００８】
本発明は、上記課題を解決するためになされたものであり、本発明の送風装置は、吐出口と吸気口を有し、内部に送風機構が設けられた本体部と、
前記本体部に設けられ、使用者の腰ベルト位置よりも上方の上半身に保持される装着部と、を有し、
前記本体部の吐出口が上衣の内側に配置されるとともに前記吸気口が上衣の下方に露出するようにして配置されることを特徴とする。
【０００９】
なお、本発明の送風装置にあっては、前記吸気口は、前記本体部の軸方向に対して傾斜する向きに開口していることが好ましい。
【００１０】
また、本発明の送風装置にあっては、前記本体部には、ヒンジ部を介して回動可能に構成され、該本体部の外周面との間に使用者の上衣の裾を挟み込み可能に構成された保持部が設けられていることが好ましい。
【発明の効果】
【００１１】
本発明によれば、使用者の姿勢が変化しても送風装置と上衣との間で位置のずれが生じ難い送風装置を提供することが可能となる。
【図面の簡単な説明】
【００１２】
【図１】本発明の一実施形態である送風装置の斜視図である。
【図２】図１の送風装置を別の角度から見た斜視図である。
【図３】図１の送風装置を装着した使用者を背中側から見た図である。
【図４】図１の送風装置の装着状態を示す側面図である。
【図５】図１の送風装置を装着ベルトに装着する過程を示す斜視図である。
【図６】図１の送風装置を装着ベルトに装着した状態を示す斜視図である。
【発明を実施するための形態】
【００１３】
以下に、図面を参照しつつ、本発明の実施の形態について例示説明する。図１〜４に示す送風装置１は、本体部２と、装着部３と、保持部４とを備え、使用者の上半身に着脱可能に装着することができる。
【００１４】
本体部２は筒状であり、中心軸線Ｃに沿う軸方向の一方側（図１における上側）に位置する吐出口２ａと、他方側（図１における下側）に位置する吸気口２ｂとを有する。吐出口２ａは本体部２の軸方向の一方側に向けて開口し、吸気口２ｂは、本体部２の軸方向に対して傾斜する向きに開口している。
【００１５】
本例において吸気口２ｂは、使用者が装着した状態で、使用者の体とは逆側（外側）に向くように構成されている（図３、４参照）。本体部２は、真っ直ぐに延びる上側のストレート部２ｄと、ストレート部２ｄの下方に連なる湾曲部２ｅとを有し、ストレート部２ｄの上端に吐出口２ａが形成され、湾曲部２ｅの下端に吸気口２ｂが形成されている。なお、本例では、ストレート部２ｄの中心軸線を本体部２の中心軸線Ｃとしている。
【００１６】
本体部２の内部には、送風機構（図示省略）が設けられている。この送風機構により、送風装置１は、吸気口２ｂから空気を取り入れて、取り入れた空気を吐出口２ａから送り出すことができる。送風機構は、例えばモータ及びファン等で構成することができるが、具体的な構成は特に限定されない。本体部２の外面には、送風機構のオンオフを切り替える押しボタン形式のスイッチ２ｃが設けられている。スイッチ２ｃは、ヒンジ部６よりも下方に設けられている。これにより、本体部２と保持部４との間に上衣Ｊの裾を挟んだ装着状態でも上衣Ｊの下方に露出するため、容易にスイッチ２ｃを操作することができる（図４参照）。
【００１７】
また、本体部２の送風機構には、例えば充電池等の電源が接続されている。なお、電源は本体部２の内部に設けてもよいし、本体部２の外部に設けてもよい。本例では、図２に示すように、装着部３側に配置したケーブル５を介して電源を接続することができる。
【００１８】
装着部３は、本体部２の外側に設けられ、使用者の腰ベルト位置よりも上方の上半身に保持されるよう構成されている。本例の装着部３は、吸気口２ｂの向きとは逆側の本体部２の外周面に固定されている。
【００１９】
装着部３は、図３、４に示すように、使用者の腰ベルトＢとは別に、腰ベルト位置の上方の上半身に巻き付けられた装着ベルト７に装着される。本例の装着部３は、下向きに開口した左右のフック部分３ａを装着ベルト７の内側に上方から差込むことで、当該左右のフック部分３ａが装着ベルト７の内側に挟み込まれて保持される構成となっている。
【００２０】
本例の装着部３は、装着ベルト７に対して着脱可能に構成されている。これにより、装着ベルト７を使用者の体から取り外すことなく、送風装置１を装着ベルト７に対して着脱することができる。なお、本例の装着部３は、本体部２に固定されているが、本体部２に対して装着部３を着脱可能に構成してもよい。
【００２１】
ここで、装着ベルト７は、例えば図５に示すように、帯状のベース部７ａと、ベース部７ａに対して表面と裏面とを交互に通るように編み込まれた帯状の編み込み部７ｂとで構成することができる。この場合、ベース部７ａと、ベース部７ａの表面側に位置する編み込み部７ｂとの間に形成される差込み孔部７ｃに、装着部３の左右両側のフック部分３ａをそれぞれ差し込んで装着することができる。このような構成により、装着ベルト７に装着した送風装置１の移動（装着ベルト７の延在方向に沿う移動）を規制することができる。なお、装着部３のフック部分３ａを差込み孔部７ｃから引き抜いて、異なる差込み孔部７ｃに差し込むことで、装着ベルト７における送風装置１の位置を変えることができる。なお、装着ベルト７の内面（使用者の体側の面）にリブ等を設けることにより、装着ベルト７と体との間の通気性を高めたり、上衣Ｊと送風装置１との分離を抑制する効果を高めたりすることができる。
【００２２】
なお、送風装置１を使用者の上半身に保持する保持手段は、装着ベルト７に限らず、例えば、両肩もしくは何れか一方の肩に掛けて装着するハーネス、ベルト等でもよい。あるいは、ベルト状の部材に限らず、上衣Ｊの内側、あるいは上衣Ｊの下に着用するベストやシャツ等の衣服の外面に設けた取付け穴（スリット状またはポケット状）に装着部３のフック部分３ａを差し込んで取付ける構成としてもよいし、上衣Ｊの内面または上衣Ｊの下に着用する衣服の外面に、面ファスナーで貼り付けて装着してもよい。あるいは、腰ベルトＢに装着した固定部から、上方に延びるアームを設け、当該アームの先端部に送風装置１を取り付けることで、腰ベルトＢの上方に保持されるようにしてもよい。
【００２３】
保持部４は、本体部２に対してヒンジ部６を介して回動可能に構成されている。ヒンジ部６の回転軸は、本体部２の軸線に直交する平面上に延在し、装着部３とは逆側に位置している。
【００２４】
保持部４は、ヒンジ部６に軸支され、ヒンジ部６の下方となる位置まで開いた開状態（図４の二点鎖線参照）から、ヒンジ部６を支点に引き上げて、図１に示す閉状態となるまで回動させることができる。保持部４は、図１に示す閉状態において、本体部２のストレート部２ｄの外周面を周方向に半分以上覆うように、当該外周面に沿って配置される。
【００２５】
本例の保持部４は、図１に示すように、ヒンジ部６から離間した位置で本体部２の外周面に沿って延在する略円弧状に湾曲した上枠４ａと、上枠４ａの両端から軸線方向に延びる左右の縦枠４ｂと、各縦枠４ｂの下端からヒンジ部６まで延びる下枠４ｃを有する。
【００２６】
保持部４は、本体部２の正面側から側方まで、本体部２のストレート部２ｄの外周面を、周方向の半部以上にわたって覆うように構成されている。すなわち、保持部４は、ストレート部２ｄの外周面を半周以上にわたって取り囲むように構成されているため、例えば本体部２の一方側のみで上衣Ｊの裾を挟み込む場合と比べて、広い範囲で上衣Ｊを挟み込むため、上衣Ｊを強力に保持することができ、吐出口２ａの露出防止効果を高めることができる。
【００２７】
保持部４は、例えばポリアセタール樹脂等の弾性変形可能な材料で構成されている。また、左右の縦枠４ｂの間隔は、本体部２の直径よりも小さく設定されており、保持部４を本体部２に着脱する際に、左右の縦枠４ｂの幅が一時的に拡大するように構成されている。そして、閉状態において保持部４が本体部２に嵌り込む（アンダーカット係合する）ことで、上衣Ｊの裾を強力に挟み込んで抜け出し難くすることができる。なお、保持部４の材質及び形状は、適宜変更可能である。
【００２８】
送風装置１を使用者に装着する際には、上半身に装着ベルト７を装着した後、装着部３のフック部分３ａを装着ベルト７の内側に差し込むことで、送風装置１を使用者の上半身に保持することができる。その後、図４に二点鎖線で示すように保持部４を開状態として、上衣Ｊの裾を本体部２と保持部４の間に配置する。そして、保持部４を引き上げてヒンジ部６を支点に回動させて、図４に実線で示す閉状態となるまで保持部４を本体部２に押し込むことで、上衣Ｊの裾を本体部２と保持部４との間に強力に挟み込んで保持することができる。
【００２９】
この状態で送風機構を駆動すると、吸気口２ｂから取り込まれた空気が、吐出口２ａから上衣Ｊの内部に送り出される。上衣Ｊの内部で使用者の体に沿って空気が通過すると、体の汗が気化し易くなり、汗が気化（蒸発）する際の冷却効果で体温の低下を促すことができる。また、汗の気化によって湿度が高くなった上衣Ｊの内部の空気を、外部に排出することにより、上衣Ｊの内部の空間は、常に汗が気化し易い快適な環境となる。
【００３０】
ここで、例えば工事現場や建築現場で作業する作業者の腰ベルトＢには、工具、道具類を携行するための、腰袋や工具ホルダーなどが、多数通されていることが多く、送風装置１を腰ベルトＢに装着しようとする場合には、当該腰袋及び工具ホルダー等を左右の何れかに寄せて使用しなければならない。この場合、本来の配置から工具類の位置が変わることにより、作業性を損なう虞がある。また、例えば、使用者の真後ろ側で大型の腰袋が腰ベルトＢに装着されている状態で、腰ベルトＢに送風装置１を装着しようとすると、送風装置１を背中の中心に装着することが出来ず、左右の何れか一方に寄せて装着せざるを得ない。そのため、上衣の中に送り込まれる風のバランスが偏るなどして、冷却効果が十分に得られない虞もあった。
【００３１】
これに対して、本実施形態の送風装置１にあっては、腰ベルトＢとは別の装着ベルト７を用いて、腰ベルト位置よりも上方に送風装置１を保持することができる。そのため、腰ベルトＢに装着される腰袋、工具ホルダーの位置を変更する必要がなく、作業者にとって使いやすい工具の配置を維持することができる。また、腰ベルトＢよりも上方の上半身に送風装置１が位置するため、腰袋または工具ホルダーからの工具の取り出しを送風装置１が阻害するという不具合も防止することができる。
【００３２】
また、本実施形態の送風装置１にあっては、腰ベルトＢとは別の装着ベルト７に送風装置１を装着する構成としたため、送風装置１の装着位置に制限が少なく、所望の位置に送風装置１を配置することができる。これにより、冷却効果が高い背中の中央側に送風装置１を配置することができ、冷却効果の低下を抑制することができる。
【００３３】
また、本実施形態の送風装置１にあっては、腰ベルト位置よりも上方の上半身に装着されるため、上半身の動きに合わせて、送風装置１が追従して動くこととなる。このため、腰ベルトＢに装着される場合に比べて、送風装置１と上衣Ｊとの位置ずれが生じ難くなる。したがって、使用者がしゃがんだり、前屈みになったりしても、吐出口２ａが上衣Ｊの外側に露出し難く、継続的に冷却機能を発揮させることができる。また、送風装置１は腰ベルト位置よりも上方に配置されるため、例えば上衣Ｊの丈が短い場合でも余裕を持って送風装置１の吐出口２ａ側を上衣Ｊで覆うことができる。
【００３４】
また、本実施形態の送風装置１にあっては、保持部４で強力に上衣Ｊの裾を挟み込むことにより、送風装置１と上衣Ｊとの位置ずれをより確実に防止することができる。その結果、吐出口２ａの露出防止効果を高めることができる。
【００３５】
特に、本実施形態の送風装置１にあっては、保持部４の上枠４ａが上衣Ｊを前後方向に挟み込み、左右の各縦枠４ｂが上衣Ｊを左右方向に挟み込む構成となっている。そのため、装着状態において上衣Ｊの裾は、二つ折り状態で本体部２と保持部４の間に挟み込まれることとなり、上衣Ｊを強力に保持することができる。
【００３６】
なお、腰ベルトＢに送風装置１を装着して上衣Ｊの裾を保持部４で挟んだ場合には、使用者がしゃがんだり前屈みになったりした際に上衣Ｊが送風装置１によって後方に引張られて使用者の動作を阻害する虞があるが、腰ベルト位置よりも上方に送風装置１を取り付ける構成としたため、このような虞もない。
【００３７】
また、本実施形態の送風装置１にあっては、吸気口２ｂが本体部２の軸方向に対して傾斜する向きに開口している。これにより、送風装置１の下方において、例えば腰ベルトＢに装着された工具等によって吸気口２ｂが塞がれる、といったことを防止することができる。これにより、送風装置１の動作時に吸気を確実に行うことができるので、冷却機能を確実に発揮させることができる。このように、吸気の性能を高める観点から、吸気口２ｂは本例のように、使用者の装着状態で使用者の体とは逆側（外側）に向いていることが好ましい。
【００３８】
以上、図示例に基づき説明したが、本発明は上述の実施形態に限定されるものでなく、特許請求の範囲の記載範囲内で適宜変更することができるものであり、例えば、本体部２の吸気口２ｂの向きを、装着状態で左右の何れかの方向を向くようにしてもよいし、上方もしくは下方を向くようにしてもよい。また、保持部４を板状、線状の金属製の部材または炭素繊維等の複合素材で構成してもよい。また、保持部４を、本体部２から取り外し可能な構成としてもよく、その場合、紐等で本体部２と保持部４とを連結するなどして、落下防止機能を設けることが好ましい。なお、送風装置１は、保持部４を備えない構成としてもよく、その場合、本体部２の吐出口２ａが上衣Ｊの内側に配置されるとともに吸気口２ｂが上衣の下方に露出するように、送風装置１の上部のみを上衣Ｊで覆うこととなる。また、送風装置１は、例えば装着ベルト７などの、使用者の上半身に保持されて送風装置１を取付け可能な保持手段を予め備えた構成としてもよい。すなわち、送風装置１は、保持手段付きの送風装置１としてもよい。
【符号の説明】
【００３９】
１：送風装置
２：本体部
２ａ：吐出口
２ｂ：吸気口
２ｃ：スイッチ
２ｄ：ストレート部
２ｅ：湾曲部
３：装着部
３ａ：フック部分
４：保持部
４ａ：上枠
４ｂ：縦枠
４ｃ：下枠
５：ケーブル
６：ヒンジ部
７：装着ベルト（保持手段）
７ａ：ベース部
７ｂ：編み込み部
７ｃ：差込み孔部
Ｂ：腰ベルト
Ｃ：中心軸線
Ｊ：上衣
【図１】
2019085887.tif 000003
【図２】
2019085887.tif 000004
【図３】
2019085887.tif 000005
【図４】
2019085887.tif 000006
【図５】
2019085887.tif 000007
【図６】
2019085887.tif 000008